(57)【特許請求の範囲】
【請求項１】
液晶パネルと、
ゲート駆動装置と、
共通電圧源を提供する共通電圧発生器と、
シーケンス制御装置と、からなる液晶表示装置であって、
前記液晶パネルの第一方向は、ｎ個の第１配分領域に分割され、分割された各前記第１配分領域は、前記第一方向に直交する第二方向に延在しており、
ｎ個の前記第１配分領域を第一方向に沿って順に第１配分領域Ａ１、Ａ２、…、Ａｋ、…、Ａｎとし、
前記ゲート駆動装置は、
ｎ個のゲート駆動チップを備え、
各前記ゲート駆動チップは、１つの前記第１配分領域に対応していて、各前記ゲート駆動チップはそれぞれ対応する前記第１配分領域から前記第二方向に沿って所定距離離間した位置に配設されて、前記ゲート駆動チップと前記第１配分領域とは前記第二方向に平行な配線で接続されていて、
ｎ個の前記ゲート駆動チップを、前記第一方向に沿って順にゲート駆動チップＧ１、Ｇ２、…、Ｇｋ、…、Ｇｎとし、
ｎ個の前記ゲート駆動チップは、それぞれ第１抵抗器ユニットと、前記第１抵抗器ユニットの整合抵抗の大きさを制御する制御ユニットと、を有し、
ｎ個の前記ゲート駆動チップは、前記共通電圧発生器から提供される前記共通電圧源を前記第１抵抗器ユニットで調整して生成した第１共通電圧をそれぞれ対応する前記第１配分領域に提供し、
前記共通電圧発生器は、前記共通電圧源を提供するのに用いられるものであって、
前記共通電圧発生器は、前記ゲート駆動装置のうちの１番目であるゲート駆動チップＧ１から２番目のゲート駆動チップＧ２とは反対側に前記第一方向に所定距離離間した位置に配置され、
前記共通電圧源が前記第一方向に沿った配線によってｎ個の前記ゲート駆動チップに提供され、
前記シーケンス制御装置が前記ゲート駆動装置の前記制御ユニットに提供する制御信号には、初期信号と抵抗整合信号があり、
前記シーケンス制御装置から出力された前記初期信号が前記ゲート駆動チップＧ１の前記制御ユニットから順に、前記ゲート駆動チップＧ２の前記制御ユニット、…、前記ゲート駆動チップＧｋの前記制御ユニット、…、前記ゲート駆動チップＧｎの前記制御ユニットの順にリレーされることによって、前記ゲート駆動チップＧ１の前記制御ユニット、前記ゲート駆動チップＧ２の前記制御ユニット、…、前記ゲート駆動チップＧｋの前記制御ユニット、…、前記ゲート駆動チップＧｎの前記制御ユニットの順に起動されて、この順に、各前記ゲート駆動チップの前記第１抵抗器ユニットの整合抵抗の調整が行なわれるものであり、
一つ前の前記ゲート駆動チップの前記制御ユニットが起動してから次の前記ゲート駆動チップの前記制御ユニットが起動されるまでの時間をリレー周期とし、
さらに、前記シーケンス制御装置は、方形波信号である抵抗整合信号を各前記ゲート駆動チップの前記制御ユニットに提供し、
このとき、抵抗整合信号の周期は前記リレー周期に同じであり、
前記抵抗整合信号は、一周期ごとに、先頭から順に前記ゲート駆動チップＧ１の前記制御ユニットに対する指令、前記ゲート駆動チップＧ２の前記制御ユニットに対する指令、…、前記ゲート駆動チップＧｋの前記制御ユニットに対する指令、…、前記ゲート駆動チップＧｎの前記制御ユニットに対する指令であり、
前記ゲート駆動チップＧ１の前記第１抵抗器ユニットの整合抵抗の大きさをＲ１、前記ゲート駆動チップＧ２の前記第１抵抗器ユニットの整合抵抗の大きさをＲ２、…、前記ゲート駆動チップＧｋの前記第１抵抗器ユニットの整合抵抗の大きさをＲｋ、…、前記ゲート駆動チップＧｎの前記第１抵抗器ユニットの整合抵抗の大きさをＲｎ、とするとき、
前記抵抗整合信号は、Ｒ１＞Ｒ２＞…＞Ｒｋ＞…＞Ｒｎとなるように各前記ゲート駆動チップの前記制御ユニットに対する指令を含むことによって、各前記ゲート駆動チップの前記第１抵抗器ユニットから各前記第１配分領域に提供される前記第１共通電圧がすべて同じになるようにする
ことを特徴とする液晶表示装置。
【請求項２】
請求項１に記載の液晶表示装置において、
前記抵抗整合信号の１つの周期において、高レベルの幅が大きければ大きいほど、前記周期に対応する前記ゲート駆動チップにおける前記第１抵抗器ユニットが生成する整合抵抗は大きい
ことを特徴とする液晶表示装置。
【請求項３】
請求項２に記載の液晶表示装置において、
前記ゲート駆動チップは、さらに計算ユニットを備え、
前記シーケンス制御装置が前記制御ユニットに提供する制御信号は、さらにクロック信号を備え、
前記抵抗整合信号の１つの周期において、高レベルの幅内で、前記計算ユニットは前記クロック信号の周期数を計算し、
前記制御ユニットは前記周期数に基づいて、前記第１抵抗器ユニットが生成する整合抵抗の大きさを確定する
ことを特徴とする液晶表示装置。
【請求項４】
請求項３に記載の液晶表示装置において、
前記周期数が大きければ大きいほど、対応する前記ゲート駆動チップにおいて前記第１抵抗器ユニットが生成する前記整合抵抗は大きい
ことを特徴とする液晶表示装置。
【請求項５】
請求項４に記載の液晶表示装置において、
前記周期数と前記整合抵抗は、直線的相関の関係を示す
ことを特徴とする液晶表示装置。
【請求項６】
請求項１から請求項５のいずれかに記載の液晶表示装置において、
ｎの値は、４から８である
ことを特徴とする液晶表示装置。
【請求項７】
請求項１から請求項６のいずれかに記載の液晶表示装置において、
前記第１抵抗器ユニットは可変抵抗器ユニットである
ことを特徴とする液晶表示装置。
【発明の詳細な説明】
【技術分野】
【０００１】
本発明は、液晶表示装置に関する。
【背景技術】
【０００２】
液晶表示装置（Ｌｉｑｕｉｄ Ｃｒｙｓｔａｌ Ｄｉｓｐｌａｙ、ＬＣＤ）は、非常に薄くフラットな表示装置であって、一定の数のカラーまたはモノクロ画素からなり、光源または反射面の前に設置される。液晶表示装置は、消費電力が低いとともに、高画質、体積が小さい、軽いといった長所を備えるため、大衆の支持を得ており、表示装置と主流になっている。現在、液晶表示装置は、薄膜トランジスタ（Ｔｈｉｎ Ｆｉｌｍ Ｔｒａｎｓｉｓｔｏｒ，ＴＦＴ）液晶表示装置が主である。
【０００３】
図１は、従来の液晶表示装置の構造を示した図である。図１に示すように、前記液晶表示装置は、少なくとも液晶パネル１と、ソース制御装置２と、ゲート制御装置３と、シーケンス制御装置４と、共通電圧発生器５と、からなる。そのうち、ソース制御装置２は、液晶パネル１にデータ信号を提供するのに用いられ、ゲート制御装置３は、液晶パネル１にスキャン信号を提供するのに用いられ、シーケンス制御装置４は、前記液晶表示装置に制御信号を提供するのに用いられる。液晶パネル１では、通常共通電圧Ｖｃｏｍが必要とされるが、共通電圧Ｖｃｏｍを提供する従来の方法は、液晶パネル１の縁に図１に示す共通電圧線６のような共通電圧線を設置し、共通電圧発生器５によって共通電圧線６に共通電圧Ｖｃｏｍを入力し、液晶パネル１内の各画素は、すべて前記共通電圧線６に接続されることによって、共通電圧Ｖｃｏｍを取得する。しかしながら、上述の方法では、ルーティング負荷の影響により、共通電圧線６から共通電圧Ｖｃｏｍを入力して各画素に送信する時に比較的大きい圧力低下が生じ、ルーティングが長ければ長いほど、圧力は大きくなる。液晶パネル内の各点の共通電圧Ｖｃｏｍの不均衡は、液晶パネルの表示品質に影響を及ぼす。例えば、画面点滅（ｆｌｉｃｋｅｒ）現象が生じる。よって、液晶パネル内に提供する各点の共通電圧Ｖｃｏｍは、できる限り同じになるようにする必要がある。
【発明の概要】
【発明が解決しようとする課題】
【０００４】
従来技術に存在する欠点にかんがみて、本発明は、複数の異なる位置から共通電圧を入力することができ、ルーティング負荷による共通電圧の圧力低下の問題を効果的に減少させ、液晶パネル内の各点の共通電圧をできる限り同じにすることができ、液晶パネルの表示品質を向上させる液晶表示装置を提供する。
【課題を解決するための手段】
【０００５】
上述の目的を達成するため、本発明は、以下の技術案を採用する。
【０００６】
液晶表示装置は、液晶パネルと、ゲート駆動装置と、シーケンス制御装置と、共通電圧発生器と、からなる。
【０００７】
前記液晶パネルの第一方向は、ｎ個の第１配分領域に限定される。
【０００８】
前記ゲート駆動装置は、ｎ個のゲート駆動チップを備え、各ゲート駆動チップは、１つの前記第１配分領域に対応する。前記ゲート駆動チップは、制御ユニットと第１抵抗器ユニットを少なくとも備える。
【０００９】
前記シーケンス制御装置は、前記液晶表示装置に制御信号を提供するよう設定される。
【００１０】
前記共通電圧発生器は、共通電圧源を提供するのに用いられ、前記共通電圧源は、ｎ個のゲート駆動チップの中に順番に送信される。
【００１１】
そのうち、前記制御ユニットは、前記シーケンス制御装置によって提供された制御信号を受信し、前記第１抵抗器ユニットが第１整合抵抗を生成するのを制御し、前記ゲート駆動チップは、受信した共通電圧源及び第１整合抵抗に基づいて、第１方向から前記第１配分領域に第１共通電圧を提供する。ｎ個のゲート駆動チップは、ｎ個の第１配分領域にｎ個の第１共通電圧をそれぞれ提供し、前記第１整合抵抗を調整することによって、前記ｎ個の第１共通電圧を同じにする。そのうち、ｎは１より大きい整数である。
【００１２】
そのうち、前記シーケンス制御装置が前記制御ユニットに提供する制御信号は、初期信号と抵抗整合信号を少なくとも備え、前記初期信号は、前記ｎ個のゲート駆動チップを順番に起動するのに用いられ、前記抵抗整合信号は、方形波信号であり、前記抵抗整合信号の１つの週期は、１つのゲート駆動チップに対応する。各ゲート駆動チップの制御ユニットは、対応する抵抗整合信号の１つの週期における高レベルの幅に基づいて、生成する整合抵抗の大きさを確定する。そのうち、共通電圧源の入力端子との距離が比較的近いゲート駆動チップは、比較的大きい整合抵抗を生成し、共通電圧源の入力端子との距離が比較的遠いゲート駆動チップは、比較的小さい整合抵抗を生成する。
【００１３】
そのうち、前記抵抗整合信号の１つの週期において、高レベルの幅が大きければ大きいほど、前記週期に対応するゲート駆動チップにおける第１抵抗器ユニットが生成する整合抵抗は大きい。
【００１４】
そのうち、前記ゲート駆動チップは、さらに計算ユニットを備え、前記シーケンス制御装置が前記制御ユニットに提供する制御信号は、さらにクロック信号を備える。前記抵抗整合信号の１つの週期において、高レベルの幅内で、前記計算ユニットは前記クロック信号の週期数を計算し、前記制御ユニットは前記週期数に基づいて、生成する整合抵抗の大きさを確定する。
【００１５】
そのうち、前記週期数が大きければ大きいほど、対応するゲート駆動チップにおいて第１抵抗器ユニットが生成する整合抵抗は大きい。
【００１６】
そのうち、前記週期数と前記整合抵抗は、直線的相関の関係を示す。
【００１７】
そのうち、前記液晶パネルの第２方向は、さらにｎ個の第２配分領域に限定される。前記ゲート駆動チップは、さらに第２抵抗器ユニットを備える。前記制御ユニットは、さらに前記制御信号に基づいて、前記第２抵抗器ユニットが第二整合抵抗を生成するのを制御し、前記ゲート駆動チップは、前記第２整合抵抗に基づいて第２方向から前記第２配分領域に第２共通電圧を提供する。ｎ個のゲート駆動チップは、ｎ個の第２配分領域にｎ個の第２共通電圧をそれぞれ提供し、前記第２整合抵抗を調整することによって、前記ｎ個の第２共通電圧を同じにする。
【００１８】
そのうち、前記第１共通電圧と前記第２共通電圧は、同じである。
【００１９】
そのうち、前記第１方向と前記第２方向は、互いに垂直である。前記第１方向は、前記液晶パネルの短辺方向または長辺方向であり、前記第２方向は、前記液晶パネルの長辺方向または短辺方向である。
【００２０】
そのうち、ｎの値は、４−８である。
【００２１】
そのうち、前記第１抵抗器ユニットと第２抵抗器ユニットは、それぞれ可変抵抗器ユニットである。
【発明の効果】
【００２２】
従来技術に比べて、本発明のうちの１つの実施例が提供する液晶表示装置における液晶パネルの短辺方向は、複数の配分領域に限定され、複数のゲート駆動チップが制御信号向に基づいて前記複数の配分領域に共通電圧をそれぞれ提供することによって、液晶パネルの複数の異なる位置から共通電圧を入力することが可能になり、ルーティング負荷による共通電圧の圧力低下の問題を効果的に減少させ、液晶パネル内の各点の共通電圧をできる限り同じにすることができ、液晶パネルの表示品質を向上させる。本発明の別の実施例では、液晶パネルの長辺方向も、複数の配分領域に限定され、対応する複数のゲート駆動チップは、制御信号に基づいて長辺方向の複数の配分領域にも共通電圧を提供する。さらに、液晶パネル内の各点に提供する共通電圧の整合を向上させる。
【図面の簡単な説明】
【００２３】
【図１】図１は、従来の液晶表示装置の構造を示した図である。
【図２】図２は、本発明の実施方法が提供する液晶表示装置の構造を示した図である。
【図３】図３は、本発明の実施方法が提供するゲート駆動装置とシーケンス制御装置間の信号の接続関係図である。
【図４】図４は、本発明の実施方法が提供するゲート駆動チップの構造を示した図である。
【図５】図５は、本発明の実施方法においてゲート駆動装置が受信する制御信号の波形図である。
【図６】図６は、本発明の別の実施方法が提供する液晶表示装置の構造を示した図である。
【図７】図７は、本発明の別の実施方法が提供するゲート駆動チップの構造を示した図である。
【発明を実施するための形態】
【００２４】
上述の通り、本発明の目的は、複数の異なる位置から共通電圧を入力することができ、ルーティング負荷による共通電圧の圧力低下の問題を効果的に減少させ、液晶パネル内の各点の共通電圧をできる限り同じにすることができ、液晶パネルの表示品質を向上させる液晶表示装置を提供することである。
【００２５】
図２は、本発明が提供する液晶表示装置の構造を示した図である。
【００２６】
図２を参照する。本実施方法に基づいて公開する液晶表示装置は、液晶パネル１０と、ソースドライバ２０と、ゲート駆動装置３０と、シーケンス制御装置４０と、共通電圧発生器５０と、を備えることができる。そのうち、ソース制御装置２０は、液晶パネル１０にデータ信号を提供するのに用いられ、ゲート制御装置３０は、液晶パネル１０にスキャン信号を提供するのに用いられ、シーケンス制御装置４０は、前記液晶表示装置に制御信号を提供するのに用いられ、共通電圧発生器５０は、共通電圧源を提供するのに用いられる。
【００２７】
図２に示す液晶パネル１０の短辺方向は、ｎ個の第１配分領域Ａ１、Ａ２、…、Ａｎ（別の実施方法では、第１配分領域Ａ１、Ａ２、…、Ａｎは、液晶パネル１０に沿って長辺方向上に配分することもできる）に限定される。ゲート駆動装置３０は、対応してｎ個のゲート駆動チップＧ１、Ｇ２、…、Ｇｎを備え、各ゲート駆動チップＧｉは、前記第１配分領域Ａｉに対応する。共通電圧発生器５０が提供する共通電圧源Ｖは、ｎ個のゲート駆動チップＧ１、Ｇ２、…、Ｇｎの中に順番に入力され、共通電圧源Ｖが送信されるライン上で、ｎ個のゲート駆動チップＧ１、Ｇ２、…、Ｇｎは順に直列接続する。さらにｎ個のゲート駆動チップＧ１、Ｇ２、…、Ｇｎは、受信した共通電圧源Ｖに基づいてｎ個の第１共通電圧Ｖ１１、Ｖ１２、…を生成し、Ｖ１ｎは、短辺方向からｎ個の第１配分領域Ａ１、Ａ２、…、Ａｎにそれぞれ提供することによって、液晶パネルの複数の異なる位置から共通電圧を入力する目的が実現される。そのうち、ｎは１より大きい整数であり、ｍ＝１、２、…、ｎである。
【００２８】
ルーティング負荷の影響により、共通電圧源Ｖがゲート駆動チップＧ１、Ｇ２、…、Ｇｎに入力される時、異なる圧力低下が生じる。ゲート駆動チップＧ１、Ｇ２、…、Ｇｎが第１共通電圧Ｖ１１、Ｖ１２、…、Ｖ１ｎと同じ公共電圧を生成するようにするためには、ゲート駆動チップＧ１、Ｇ２、…、Ｇｎの構造をこれに対応して改良する必要がある。ゲート駆動チップＧ１、Ｇ２、…、Ｇｎが、第１共通電圧Ｖ１１、Ｖ１２、…、Ｖ１ｎを生成するの方法は以下に述べる通りである。以下の実施方法では、例として、ゲート駆動装置３０は、４個のゲート駆動チップＧ１、Ｇ２、Ｇ３、Ｇ４を備えるものとする。ただし、ｎの値は４であり、別のいくつかの実施方法では、ｎの値の比較的好ましい範囲は４−８である。
【００２９】
図３は、ゲート駆動装置３０とシーケンス制御装置４０間の信号の接続関係図であり、図４は、ゲート駆動チップの構造を示した図である。（図４ではゲート駆動チップＧ１を例として説明する）。図３と図４を参照する。ゲート駆動チップＧ１は、少なくとも制御ユニット３１と第１抵抗器ユニット３２と、を備える。シーケンス制御装置４０がゲート駆動装置３０の中の制御ユニット３１に提供する制御信号は、少なくとも初期信号ＳＴＶと抵抗整合信号ＡＴＲを備え、初期信号ＳＴＶ（図３ではＳＴＶ１、ＳＴＶ２、ＳＴＶ３、ＳＴＶ４を備える）は、４個のゲート駆動チップＧ１、Ｇ２、Ｇ３、Ｇ４を順番に起動させるのに用いられる。共通電圧源Ｖがゲート駆動チップＧ１、Ｇ２、Ｇ３、Ｇ４に入力される電圧は、順番にＶ１、Ｖ２、Ｖ３、Ｖ４であり、ルーティング負荷の影響により、Ｖ１＞Ｖ２＞Ｖ３＞Ｖ４となる。前記抵抗整合信号ＡＴＲは、方形波信号であり、１枚の画面内で、前記抵抗整合信号ＡＴＲの１つの週期は、ゲート駆動チップＧ１、Ｇ２、Ｇ３、Ｇ４に対応する。各ゲート駆動チップＧ１、Ｇ２、Ｇ３、Ｇ４の制御ユニット３１は、対応する抵抗整合信号ＡＴＲの１つの週期中の高レベルの幅に基づいて、第１抵抗器ユニット３２が生成する整合抵抗の大きさを制御し、第１抵抗器ユニット３２が生成する整合抵抗は、制御ユニット３１にフィードバックされ、さらに制御ユニット３１によりゲート駆動チップＧ１、Ｇ２、Ｇ３、Ｇ４が対応する共通電圧Ｖ１１、Ｖ１２、Ｖ１３、Ｖ１４を生成するのを制御する。そのうち、前記抵抗整合信号ＡＴＲの１つの週期中の高レベルの幅が大きければ大きいほど、前記週期に対応するゲート駆動チップＧ１、Ｇ２、Ｇ３、Ｇ４中で第１抵抗器ユニット３１が生成する整合抵抗は大きくなり、共通電圧源Ｖのルーティング負荷に整合を行うことに相当する。共通電圧源Ｖの入力端子との距離が比較的近いゲート駆動チップは、比較的大きい抵抗を整合し、共通電圧源Ｖの入力端子との距離が比較的遠いゲート駆動チップは、比較的小さい抵抗を整合し、最後に対応するゲート駆動チップＧ１、Ｇ２、Ｇ３、Ｇ４が生成する共通電圧Ｖ１１、Ｖ１２、Ｖ１３、Ｖ１４と同じにする。
【００３０】
好ましい実施方法として、図３と図４に示すように、ゲート駆動チップＧ１、Ｇ２、Ｇ３、Ｇ４は、さらに計算ユニット３３を備え、シーケンス制御装置４０が制御ユニット３１に提供する制御信号は、さらにクロック信号ＣＫＶを備える。抵抗整合信号ＡＴＲの１つの週期中の高レベルの幅内において、計算ユニット３３は、前記クロック信号ＣＫＶの週期数を計算し、制御ユニット３１にフィードバックし、制御ユニット３１が前記週期数に基づいて、第１抵抗器ユニット３２が生成する整合抵抗の大きさが確定する。１枚の画面内における初期信号ＳＴＶ（ＳＴＶ１、ＳＴＶ２、ＳＴＶ３、ＳＴＶ４を備える）と、抵抗整合信号ＡＴＲと、クロック信号ＣＫＶの波形図は、図５に示す通りである。図５中の抵抗整合信号ＡＴＲのうち、週期Ｔ１はゲート駆動チップＧ１に対応し、週期Ｔ２はゲート駆動チップＧ２に対応し、週期Ｔ３はゲート駆動チップＧ３に対応し、週期Ｔ４はゲート駆動チップＧ４に対応する。そのうち、抵抗整合信号ＡＴＲの１つの週期中の高レベルの幅内で、クロック信号ＣＫＶの週期数が大きければ大きいほど、対応するゲート駆動チップＧ１、Ｇ２、Ｇ３、Ｇ４中の第１抵抗器ユニット３２が生成する整合抵抗は大きい。週期数と整合抵抗の設定は、直線的相関の関係を示す。
【００３１】
上述の実施方法が提供する液晶表示装置において、液晶パネルの短辺方向は、複数の配分領域に限定され、複数のゲート駆動チップが制御信号向に基づいて前記複数の配分領域に同じ電圧値の共通電圧をそれぞれ提供することによって、液晶パネルの複数の異なる位置から共通電圧を入力することが可能になり、ルーティング負荷による共通電圧の圧力低下の問題を効果的に減少させ、液晶パネル内の各点の共通電圧をできる限り同じにすることができ、液晶パネルの表示品質を向上させる。
【００３２】
別の好ましい実施方法として、図６はその構造を示した図である。液晶パネル１０は、短辺方向でのみｎ個の第１配分領域Ａ１、Ａ２、…、Ａｎに限定されるわけではなく、その長辺方向でもｎ個の第２配分領域Ｂ１、Ｂ２、…、Ｂｎに限定される。ゲート駆動装置３０のｎ個のゲート駆動チップＧ１、Ｇ２、…、Ｇｎにおいて、各ゲート駆動チップＧｉは１つの第１配分領域Ａｉと１つの第２配分領域Ｂｉに対応する。共通電圧源Ｖがｎ個のゲート駆動チップＧ１、Ｇ２、…、Ｇｎの中に順番に入力されるが、共通電圧源Ｖが送信するライン上で、ｎ個のゲート駆動チップＧ１、Ｇ２、…、Ｇｎは、順番に直列接続する。さらにｎ個のゲート駆動チップＧ１、Ｇ２、…、Ｇｎは、受信した共通電圧源Ｖに基づいてｎ個の第１共通電圧Ｖ１１、Ｖ１２、…、Ｖ１ｎを生成することによって、短辺方向からｎ個の第１配分領域Ａ１、Ａ２、…、Ａｎにそれぞれ提供する。さらにｎ個のゲート駆動チップＧ１、Ｇ２、…、Ｇｎは、受信した共通電圧源Ｖに基づいてｎ個の第２共通電圧Ｖ２１、Ｖ２２、…、Ｖ２ｎを生成することによって、長辺方向からｎ個の第２配分領域Ｂ１、Ｂ２、…、Ｂｎにそれぞれ提供する。そのうち、第１共通電圧Ｖ１１、Ｖ１２、…、Ｖ１ｎの中は同じ電圧値を備え、第２共通電圧Ｖ２１、Ｖ２２、…、Ｖ２ｎの中は、同じ電圧値を備えるとともに第１共通電圧Ｖ１１、Ｖ１２、…、Ｖ１ｎと第２共通電圧Ｖ２１、Ｖ２２、…、Ｖ２ｎは等しく、Ｖ１１＝Ｖ１２＝…＝Ｖ１ｎ＝Ｖ２１＝Ｖ２２＝…＝Ｖ２ｎとなる。
【００３３】
図７（図７ではゲート駆動チップＧ１を例として説明する）は、本実施方法におけるゲート駆動チップの構造を示した図である。本実施方法において、ゲート駆動チップＧ１、Ｇ２、…、Ｇｎは、さらに第２抵抗器ユニット３４を備える。１つ前の実施方法と同じように、ゲート駆動チップＧ１、Ｇ２、…、Ｇｎにおいて、制御ユニット３１は計算ユニット３３に基づいて計数クロック信号ＣＫＶの周期数を計算し、第１抵抗器ユニット３２が生成する整合抵抗の大きさを確定し、前記整合抵抗に基づいてゲート駆動チップＧ１、Ｇ２、…、Ｇｎが第１共通電圧Ｖ１１、Ｖ１２、…、Ｖ１ｎをそれぞれ生成するのを制御する。上述の方法を参照して、ゲート駆動チップＧ１、Ｇ２、…、Ｇｎでは、制御ユニット３１が計算ユニット３３に基づいてクロック信号ＣＫＶの週期数を計算し、第２抵抗器ユニット３４が生成する整合抵抗の大きさを確定し、前記整合抵抗に基づいてゲート駆動チップＧ１、Ｇ２、…、Ｇｎが第２共通電圧Ｖ２１、Ｖ２２、…、Ｖ２ｎをそれぞれ生成するのを制御する。
【００３４】
本実施方法が提供する液晶表示装置において、液晶パネルは、さらに長辺方向が複数の配分領域に限定され、対応する複数のゲート駆動チップは、制御信号に基づいてさらに長辺方向の複数の配分領域に共通電圧をそれぞれ提供し、液晶パネル内の各点に提供する共通電圧の整合がさらに向上される。
【００３５】
上述で提供した実施方法において、第１抵抗器ユニット３２と第２抵抗器ユニット３４は、可変抵抗器ユニットであることが好ましい。
【００３６】
説明すべき点として、本文中の第１、第２等の関係用語は全て、１つの実体または操作を他の１つの実体または操作と区別する目的にのみに使用され、必ずしもこれらの実体または操作の間に実際の関係または順次が存在することを要求または暗示するものではない。また、用語の「からなる」、「備える」、またはいかなるその他の変形語も、それ以外が含まれないことを意味するものではなく、一連の要素からなる過程、方法、物品または設備は、それらの要素を含むだけでなく、明確に示されていないその他の要素も含み、または、この種の過程、方法、物品あるいは設備にもとからある要素も含むことになる。さらに多くの制限がない場合、「一つの……からなる」の文によって限定される要素は、前記要素を含む過程、方法、物品または設備中に存在する別の共通する要素を排除しない。
【００３７】
以上は、本申請の具体的な実施方法を述べたにすぎず、指摘すべき点として、本技術領域の一般の技術者からすると、本申請の原理を逸脱しない前提において、若干の改良や潤飾をすることができるが、これらの改良や潤飾も本発明の特許請求範囲内であるとする。
【符号の説明】
【００３８】
１ 液晶パネル
２ ソース制御装置
３ ゲート制御装置
４ シーケンス制御装置
５ 共通電圧発生器
６ 共通電圧線
１０ 液晶パネル
２０ ソースドライバ
３０ ゲート駆動装置
３１ 制御ユニット
３２ 第１抵抗器ユニット
３３ 計算ユニット
３４ 第２抵抗器ユニット
４０ シーケンス制御装置
５０ 共通電圧発生器
Ｖｃｏｍ 共通電圧
Ｖ 共通電圧源
Ｇ ゲート駆動チップ
ＳＴＶ 初期信号
ＡＴＲ 抵抗整合信号
ＣＫＶ クロック信号
Ａｉ 第１配分領域
Ｂｉ 第２配分領域
【図１】
0006609629.tif 000002
【図２】
0006609629.tif 000003
【図３】
0006609629.tif 000004
【図４】
0006609629.tif 000005
【図５】
0006609629.tif 000006
【図６】
0006609629.tif 000007
【図７】
0006609629.tif 000008